(57)【要約】【課題】屋根の棟上部に棟瓦を固定する棟瓦固定具の支柱部を２つに分割し、高さ調整できるように２つの支柱部を接続する接続構造に荷重が作用しても確実に接続状態を保持し得る接続構造を得る。【解決手段】棟瓦固定具１は、受桟を受ける受部材１１と、これを支持する支柱部１２と、支柱部１２を棟上に固定する台座部１３とを備え、支柱部１２は上支柱部１２ａと下支柱部１２ｂから成り、両支柱部１２ａ、１２ｂは上下方向に設けた取付穴１４ａ、１４ａを取付穴１４ｂ、１４ｂに高さ調整してリベット１５を挿通して固定する。リベット１５は保持ポケット１６に先端が保持されている。【選択図】　図２
2004052442.tif 000002
【特許請求の範囲】
【請求項１】
受桟を受ける受部材と、この受部材を支持する断面コ字状部材を互いに組合わせて形成される支柱部と、支柱部を屋根の棟部分に取付けるための台座部とを備え、支柱部は受部材から下方へ延びる上支柱部と、台座部から上方へ延びる下支柱部とから成り、両支柱部は互いに重ねてから上支柱部を下支柱部に対し高さ調整自在に接続するためそれぞれの平行側板に取付穴が上下方向に複数箇所設けられ、両支柱部のうち重ねて接続する際に外側となる平行側板のいずれかに取付穴に貫設される取付リベットの先端を保持する側板ポケットにリベット先端を保持し、かつリベット先端に抜止めを設けて構成した棟瓦固定具。
【請求項２】
受桟を受ける受部材と、この受部材を支持する断面コ字状部材を互いに組合わせて形成される支柱部と、支柱部を屋根の棟部分に取付けるための台座部とを備え、支柱部は受部材から下方へ延びる上支柱部と、台座部から上方へ延びる下支柱部とから成り、両支柱部は互いに重ねてかつ上支柱部を下支柱部に対し高さ調整自在に接続するためそれぞれの平行側板に係合突起と係合溝を上下方向に複数箇所設けられ、係合突起の先端が係合溝と側板間の隙間に係止されるように形成した棟瓦固定具。
【請求項３】
上支柱部と下支柱部の平行側板間の距離を、一方を他方に重ねて接続できるよう板厚分だけ小さく又は大きく設定し、上支柱部が大きい組合わせでは上支柱部の係合突起と係合溝を平行側板内側に、小さい組合わせでは外側に設けたことを特徴とする請求項２に記載の棟瓦固定具。
【発明の詳細な説明】
【０００１】
【発明の属する技術分野】
この発明は、屋根の棟部分で棟瓦を支持するのに用いられる棟瓦固定具に関する。
【０００２】
【従来の技術】
屋根の棟部分に冠瓦とも呼ばれる棟瓦を載置する屋根構造が広く知られている。この棟瓦は、棟部分の頂部に笠木と呼ばれる受桟を棟瓦固定具で支持し、受桟に対し釘などで棟瓦を固定し設置されるのが一般的である。上記棟瓦固定具は、受桟を受ける受部と、これを支持する支柱部と、屋根の傾斜頂部の野地板に設置するための台座とを一般に有する。
【０００３】
上記棟瓦固定具の一例として、特許第３２２４７９１号公報（公報１）に開示されたものが知られている。この公報１による棟瓦固定具は、受桟を受ける受部を有する可動部材と、屋根頂部に固定するための固定部材とから形成し、両部材にはそれぞれ支柱部を設け、両支柱部を高さ調節可能に固定手段により連結固定するように形成されている。同様な形式であるが、若干構成が異なる例が特開２００１−３５５３１８号公報（公報２）に示されている。この公報２では支柱部が固定部材側にのみ設けられ、可動部材はコ字状の受部から成り、これを固定部材の支柱部に直接取付けるようになっている。
【０００４】
さらに別の例として、特開平１０−２４５９３９号公報（公報３）により開示されたものも公知である。この公報３の固定具も、受桟（笠木）を受ける上部材を、屋根に固定するための下部材に対して別体に形成し、上部材に設けた上部支柱部を下部材の下部支柱部にボルト・ナット又はリベットにより固定するようになっている。
【０００５】
【発明が解決しようとする課題】
上述した各公報１〜３に開示されている棟瓦固定具は、いずれのものも、棟瓦（冠瓦）の大きさに応じて変化する受桟の高さ位置に対応して受部を台座に対して、支柱部の取付状態を変えることにより現場で調節して取付けできるようにしている。しかし、上記従来の固定具はそれぞれ次のような問題がある。公報１の固定具は、可動部材の支柱部と固定部材の支柱部に固定する固定手段として、固定部材の支柱部に設けた嵌合孔と可動部材の支柱部に形成した嵌合凸部を嵌合させる形式のものを採用している。
【０００６】
しかし、この形式の固定手段では受桟の重量が支柱部に作用して台座へ伝達される際に、支柱部の側板を外側へ開く方向に作用し、工事中に受桟上に作業者が乗ると重量が増々大きくなってさらに外側へ開く可能性がある。又、設置後に地震で受桟が横揺れすると嵌合部分は簡単に外れてしまう虞れがある。公報２の固定具の場合も、可動部材が固定部材の支柱部に直接固定手段により嵌合されているだけで、基本的な固定形式は同じであるから、同様な問題がある。
【０００７】
公報３の固定具は、上部材の支柱部を下部材の支柱部に対しボルト・ナット又はリベットによる固定手段で固定するようにしているから、上記公報１、２の固定具のように受桟の重量が作用したとしても外れることはない。しかし、ボルト・ナットのような締付固定形式、あるいはリベットのような加締め手段の形式では、高さ調節をしながらボルト又はリベットを所定高さの穴に挿通する作業が極めて困難である。受桟は長く、かなり重量があるため、受部に受桟を嵌合した状態で支柱部高さを所定位置に定めてボルト又はリベットを支柱に通すことは人手による作業では困難だからである。
【０００８】
この発明は、上記の種々の問題に留意して、屋根の棟上部に棟瓦を固定する棟瓦固定具の支柱部を２つに分割し、高さ調整できるように２つの支柱部を接続する接続構造に荷重が作用しても確実に接続状態を保持し得る接続構造を有する棟瓦固定具を提供することを課題とする。
【０００９】
【課題を解決するための手段】
この発明は、上記の課題を解決する手段として、受桟を受ける受部材と、この受部材を支持する断面コ字状部材を互いに組合わせて形成される支柱部と、支柱部を屋根の棟部分に取付けるための台座部とを備え、支柱部は受部材から下方へ延びる上支柱部と、台座部から上方へ延びる下支柱部とから成り、両支柱部は互いに重ねてから上支柱部を下支柱部に対し高さ調整自在に接続するためそれぞれの平行側板に取付穴が上下方向に複数箇所設けられ、両支柱部のうち重ねて接続する際に外側となる平行側板のいずれかに取付穴に貫設される取付リベットの先端を保持する側板ポケットにリベット先端を保持し、かつリベット先端に抜止めを設けて構成した棟瓦固定具としたのである。
【００１０】
又、上記課題を解決するもう１つの手段として、受桟を受ける受部材と、この受部材を支持する断面コ字状部材を互いに組合わせて形成される支柱部と、支柱部を屋根の棟部分に取付けるための台座部とを備え、支柱部は受部材から下方へ延びる上支柱部と、台座部から上方へ延びる下支柱部とから成り、両支柱部は互いに重ねてかつ上支柱部を下支柱部に対し高さ調整自在に接続するためそれぞれの平行側板に係合突起と係合溝を上下方向に複数箇所設けられ、係合突起の先端が係合溝と側板間の隙間に係止されるように形成した棟瓦固定具を採用することもできる。
【００１１】
上記構成の棟瓦固定具は、上支柱部を下支柱部に高さを調整して接続される。接続の際、取付リベットは上支柱部に保持されているから、両支柱部の取付穴を高さ調整して互いに合せるだけでよく、リベットは取付穴が合せられると押込むと簡単に挿通される。そして、リベットが挿通されると両支柱部は互いに接続され、荷重が作用しても平行側板が広がることなく確実に保持される。
【００１２】
第２の発明の棟瓦固定具でも、接続構造として係合突起を係合溝に挿入するだけで接続が確保される。係合突起の先端を係合溝の隙間に嵌合することにより抜止めとなり、荷重が作用しても平行側板が広がることなく接続が確保されるのである。
【００１３】
【実施の形態】
以下、この発明の実施の形態について図面を参照して説明する。図１は実施形態の棟瓦固定具を用いて棟瓦を屋根の棟上部に設置した構造の主縦断面図を示す。図示のように、棟瓦固定具１は、屋根の棟部分の野地板２に台座部が設置され、その状態で野地板２上に瓦３が置かれると共に、固定具１によりその頂部に受桟４が釘で取り付けられ、この受桟４に対し釘などで棟瓦５が固定され、これにより棟瓦の組立構造が形成される。図２に上記固定具１の詳細構造の分解斜視図を示す。
【００１４】
図２に示すように、棟瓦固定具１は、受桟４を受けて固定する受部材１１と、この受部材１１を支持する支柱部１２と、この支柱部に接続され屋根の野地板２に取付けられるハ字状の帯板から成る台座部１３とを備えている。支柱部１２は、図示のように、受部材１１から下方へ延びる上支柱部１２ａと、台座部１３から上方へ延びる下支柱部１２ｂとから成り、それぞれの上、下支柱部１２ａ、１２ｂは断面コ字状であり、図示の例では、組立時にはコ字状断面の開放端が互いに内側へ向い合う向きに重ねて接続され組立てられ、従って組立時の断面は略矩形状となる。
【００１５】
図示の例では、上支柱部１２ａの平行側板間の距離は、下支柱部１２ｂの平行側板間の距離より板厚分だけ大きく、従って組立時には上支柱部１２ａの平行側板が下支柱部１２ｂの平行側板の外側からこれを挟むように重ねられて接続される。又、上支柱部１２ａの長さは下支柱部１２ｂの長さより所定寸法短く形成されている。高さ調整できるようにするためである。上、下支柱部１２ａ、１２ｂの平行側板には、上支柱部１２ａを下支柱部１２ｂに対し互いを接続するリベット１５を挿入するための取付穴１４ａ、１４ｂが、高さ位置を調整自在にそれぞれ上下方向に複数箇所設けられている。
【００１６】
特に、図示の例では、下支柱部１２ｂの平行側板には取付穴１４ｂが４箇所、上支柱部１２ａには取付穴１４ａが２箇所所定のピッチに設けられ、上支柱部１２ａの平行側板の一方に取付けられた２本のリベット１５、１５を下支柱部１２ｂの取付穴１４ｂのうち高さ調整して対応する２つの取付穴１４ｂに挿通させて上支柱部１２ａを支持するようになっている。取付穴１４ａ、１４ｂの組合せは、高さ調整可能な寸法の設定により任意の数に設定でき、図示の例よりさらに増加させてもよい。又、図示の例では取付穴１４ａ、１４ｂは上下に一列状としたが２列、３列というように複数列としてもよい。
【００１７】
図３に支柱部１２の（ａ）組立断面、（ｂ）上支柱部１２ａの組立前の断面を示している。図示のように、上支柱部１２ａの平行側板の一方には、取付穴１４ａを含むリベットの保持ポケット１６が設けられている。図示の保持ポケット１６は平行側板の取付穴１４ａを含む部分を外側へ突出させて内側にリセスを設け、そのリセスにリベット端部１５ｂが収まる形状とする。（ｂ）図に示すように、組立前はリベット１５を頭部１５ａを引いてリベット端部１５ｂをスペース内に位置させ、（ａ）図に示すように、高さ位置を調整してリベット１５を上、下支柱部１２ａ、１２ｂの取付穴１４ａ、１４ｂに挿通させると組立てられたこととなる。
【００１８】
なお、リベット１５は、（ｂ）図のように、上支柱部１２ａの保持ポケット１６内にリベット端部１５ｂを収納して現場で組立てられるが、リベット１５は（ｂ）図の状態に形成するため、リベット頭部１５ａだけを有する（１５ｂの無い）ものを取付穴１４ａから挿入して反対側の側板の取付穴１４ａに挿通させて突出させ、リベット１５の端を叩くことによりリベット端部１５ｂを形成する。従って、保持ポケット１６側の取付穴１４ａは穴径がリベット１５より若干大きく、リベット端１５ｂの径より小さいものとし、反対側の取付穴１４ａはリベット端１５ｂの径より少し大きい径とする。又、下支柱部１２ｂの取付穴１４ｂは上記大きい方の取付穴１４ａの径と同じとする。
【００１９】
この接続作業時に上支柱部１２ａは、家屋ごとに異なる棟瓦の大きさに応じて受桟４の高さが適当な位置となるように下支柱部１２ｂに対して最適の高さとなる取付穴１４ｂを選択してリベット１５を挿通させる。図示の例では、図１に示すように、下支柱部１２ｂの４つの取付穴１４ｂのうち中間の２つの取付穴１４ｂに上支柱部１２ａの２つの取付穴１４ａを一致させて２つのリベット１５をそれぞれ挿通させている。このとき、上支柱部１２ａにはリベット１５が付着された状態で接続されるから、取付穴同士の高さが一致しているかを確認するだけであり、リベット１５は取付穴高さが一致すれば押し込むだけでよい。
【００２０】
仮にリベット１５が上支柱部１２ａに取付けられていない形式とすると、上支柱部１２ａと下支柱部１２ｂの対応する取付穴１４ａ、１４ｂの高さが一致したことを確認しても、その状態を手作業で保持したままリベット１５を対応する取付穴１４ａ、１４ｂを選択してそこに挿通させることは、受部材１１と上支柱部１２ａの重量があるため極めて難しく、多くの労力と時間が掛り、効率が悪い。これに対して上記実施形態では、取付穴１４ａと１４ｂが一致したかを確認すれば、１５は必ず簡単に挿通できるから、作業が容易で作業効率が大きく改善される。
【００２１】
図４に第１実施形態の棟瓦固定具の一部変形例を示す。図４は、図２の記号ＩＶの矢視方向から上支柱部１２ａの平行側板の一方を見た側面図である。なお、この変形例は図４に示す変形部分以外第１実施形態と全く同じであり、同一構成部分は図示、説明を省略する。この変形例では、上支柱部１２ａの平行側板の一方に設けられている取付穴１４ａに、図示のように、一対の耳片１４ｃ、１４ｃを設けた点のみが変更されている。
【００２２】
上記一方の平行側板は、リベット１５の保持ポケット１６が設けられているのと反対側の平行側板である。従って、リベット１５を側板に挿通させる際に反対側の側板の耳片１４ｃ、１４ｃを突き抜けて挿通され、挿通後（ｂ）図のようにリベット１５を引き戻すことによって耳片１４ｃ、１４ｃは元の平行な状態に戻される。その他の作用は第１実施形態と同じである。
【００２３】
図５に第２実施形態の棟瓦固定具の分解斜視図を示す。受部材１１、支柱部１２、台座部１３の基本的な形状は第１実施形態と同じであるが、支柱部１２の上、下支柱部１２ａ、１２ｂの相互の接続手段の形式が異なっている。以下では同一構成部には同一符号を付して説明を省略し、主として異なる構成部材とその作用を中心に説明する。図示のように、この実施形態ではリベット１５は使用せず、上支柱部１２ａの両平行側板にそれぞれ設けた係合突起１４ａ’、１４ａ’と、下支柱部１２ｂの両平行側板にそれぞれ設けた係合溝１４ｂ’、１４ｂ’との組合わせにより接続が行なわれるように形成されている。
【００２４】
係合突起１４ａ’、１４ａ’は、側板の一部に切込み１６’、１６’を入れ、切込まれた切込片をそれぞれ内側にＬ字状に成形して突出させて形成されている。図示の例では、係合突起１４ａ’、１４ａ’は上下に２段設けられている。支柱部１２ａの長さに応じて２段以上の複数段としてもよい。係合溝１４ｂ’、１４ｂ’は、下支柱部１２ｂの両平行側板の開放側端に、両平行側板の向い合う内側へ向く突起を形成し、突起の外側の凹部を係合溝として利用するように設けられている。
【００２５】
係合溝１４ｂ’、１４ｂ’は、図示の例では上下に５段に設けられ、各段の上下方向の間隔は、上支柱部１２ａの係合突起１４ａ’、１４ａ’の上下の間隔に対し、１つ置きの係合溝１４ｂ’が対応するピッチに設けられている。例えば、中間位置では下から２つ目、４つ目の係合溝１４ｂ’、上方位置では下から３つ目、５つ目の係合溝１４ｂ’、下方位置では下から１つ目、３つ目の係合溝１４ｂ’に係合突起１４ａ’を嵌合させて接続される。なお、係合突起１４ａ’、１４ａ’を上下方向に係合溝１４ｂ’、１４ｂ’と同じピッチで設けてもよい。
【００２６】
図６の（ａ）図に示すように、係合溝１４ｂ’、１４ｂ’は係合突起１４ａ’、１４ａ’を嵌合させたとき凹入壁１２ｂＴ　と平行側板との間に隙間δが設けられ、そこに侵入できるように形成されている。従って、（ｂ）図に示すように、上支柱部１２ａを下支柱部１２ｂに接続する際に、係合突起１４ａ’、１４ａ’を対応する係合溝１４ｂ’、１４ｂ’に嵌合させることにより接続することができる。
【００２７】
上記構成部材により上支柱部１２ａを下支柱部１２ｂに接続する場合、係合突起１４ａ’、１４ａ’の先端が係合溝１４ｂ’、１４ｂ’内の隙間δに嵌合するから、相互の嵌合が強固であり、上支柱部１２ａから下支柱部１２ｂへ力が加えられても両支柱部１２ａ、１２ｂの両平行側板が拡がって接続が外れるようなことがなく、確実な接続が可能となる。
【００２８】
図８は第２実施形態の部分変形例を示す。この変形例も基本構成は第２実施形態と同じであるが、上支柱部１２ａと下支柱部１２ｂとの接続構造が第２実施形態の係合構造と凹凸逆の関係に形成されている点が異なる。従って、この変形例では、第２実施形態と異なる構成について主として説明し、同一構成部分については説明を省略する。まず、（ａ）図に示すように、上支柱部１２ａの両平行側板間の距離が、下支柱部１２ｂの平行側板間の距離より短く形成されている。又、（ｂ）図のように、上支柱部１２ａの係合突起１４ａ’は、両平行側板の対向側面より外側へ突出するように設け、下支柱部１２ｂの係合溝１４ｂ’、１４ｂ’は両平行側板より外側に設けられている。
【００２９】
特に、係合溝１４ｂ’、１４ｂ’は平行側板の板厚より外側へ第２実施形態と反対方向に形成されており、係合突起１４ａ’、１４ａ’の先端が隙間δに嵌合される点は第２実施形態と同じである。又、係合突起１４ａ’、１４ａ’を設ける段数、係合溝１４ｂ’、１４ｂ’の段数についても第２実施形態と同じである。上記の構成では、上支柱部１２ａが下支柱部１２ｂの両平行側板間に嵌合して接続される点が異なるのみであり、作用は第２実施形態と同じである。
【００３０】
【発明の効果】
以上詳細に説明したように、第１の発明の棟瓦固定具は２つの支柱部を高さ調整自在に接続でき、かつ両支柱部を取付穴を合せるだけでリベットを押込むと簡単に挿通でき、これにより確実に２つの支柱部を固定でき、平行側板が荷重によって外側へ拡がることなく確実な接続が得られる。第２の発明も基本構成は同じであり、係合突起を係合溝に嵌合して接続するだけで確実な接続が得られる。
【図面の簡単な説明】
【図１】第１実施形態の棟瓦固定具による棟瓦組立構造の主縦断面図
【図２】第１実施形態の棟瓦固定具の分解斜視図
【図３】（ａ）図１の矢視ＩＩＩ　ａ−ＩＩＩ　ａからの断面図、（ｂ）組立前の断面図
【図４】（ａ）一部変形例の部分側面図、（ｂ）部分断面図、（ｃ）部分断面図
【図５】第２実施形態の棟瓦固定具の分解斜視図
【図６】（ａ）図３（ａ）に対応する断面図、（ｂ）部分分解斜視図
【図７】組立側面図
【図８】（ａ）第２実施形態の変形例の図６に相当する断面図、（ｂ）部分分解斜視図
【符号の説明】
１　棟瓦固定具
２　野地板
３　瓦
４　受桟
５　棟瓦
１１　受部材
１２　支柱部
１２ａ　上支柱部
１２ｂ　下支柱部
１３　台座部
１４ａ　取付穴
１４ｂ　取付穴
１５　リベット
１６　保持ポケット
【図１】
2004052442.tif 000003
【図２】
2004052442.tif 000004
【図３】
2004052442.tif 000005
【図４】
2004052442.tif 000006
【図５】
2004052442.tif 000007
【図６】
2004052442.tif 000008
【図７】
2004052442.tif 000009
【図８】
2004052442.tif 000010